(57)【要約】【課題】  表示メディア上における所望の領域や位置を指定するために必要な位置情報をより効率良く取得することが可能な位置情報取得装置及び方法等を提供する。【解決手段】  本発明に係る位置情報取得装置は、印刷物の紙面上に掲載される商品情報及び当該商品情報のレイアウト情報を含む商品データから、少なくとも、当該商品情報を構成する複数の構成情報が表示される表示メディア上における当該構成情報についての位置情報を取得する位置情報取得装置であって、前記構成情報が掲載される前記紙面上における位置を示す紙面位置情報を、前記商品データから取得する位置情報取得手段と、前記表示メディアに応じた位置情報変換条件に従って、前記取得された紙面位置情報を、前記構成情報が表示される前記表示メディア上における位置を示すメディア位置情報に変換する位置情報変換手段と、を備える。【選択図】  図１
2005208706.tif 000002
【特許請求の範囲】
【請求項１】
印刷物の紙面上に掲載される商品情報及び当該商品情報のレイアウト情報を含む商品データから、少なくとも、当該商品情報を構成する複数の構成情報が表示される表示メディア上における当該構成情報についての位置情報を取得する位置情報取得装置であって、
前記構成情報が掲載される前記紙面上における位置を示す紙面位置情報を、前記商品データから取得する位置情報取得手段と、
前記表示メディアに応じた位置情報変換条件に従って、前記取得された紙面位置情報を、前記構成情報が表示される前記表示メディア上における位置を示すメディア位置情報に変換する位置情報変換手段と、を備えることを特徴とする位置情報取得装置。
【請求項２】
請求項１に記載の位置情報取得装置において、
ユーザにより入力された、前記構成情報の属性を示す属性情報を受け付ける情報受付手段を更に備え、
前記位置情報取得手段は、前記複数の構成情報のうち前記属性を有する前記構成情報についての前記紙面位置情報を取得することを特徴とする位置情報取得装置。
【請求項３】
請求項１に記載の位置情報取得装置において、
ユーザにより入力された、前記構成情報を受け付ける情報受付手段を更に備え、
前記位置情報取得手段は、前記複数の構成情報のうち前記受け付けられた構成情報についての前記紙面位置情報を取得することを特徴とする位置情報取得装置。
【請求項４】
請求項１に記載の位置情報取得装置において、
前記印刷物の紙面上に掲載される商品情報は、複数のグループに区分され、前記構成情報は、何れかのグループに属しており、
ユーザにより入力された、前記何れかのグループを示すグループ情報を受け付ける情報受付手段を更に備え、
前記位置情報取得手段は、前記複数の構成情報のうち前記受け付けられたグループに属する構成情報についての前記紙面位置情報を取得することを特徴とする位置情報取得装置。
【請求項５】
請求項１乃至４の何れか一項に記載の位置情報取得装置において、
前記印刷物の紙面上に掲載される商品情報は、複数のグループに区分され、前記構成情報は、何れかのグループに属しており、
前記位置情報取得手段は、前記構成情報が属するグループの前記紙面上における位置を示す紙面位置情報を取得し、
前記位置情報変換手段は、前記表示メディアに応じた位置情報変換条件に従って、前記取得された紙面位置情報を、前記グループが表示される前記表示メディア上における位置を示すメディア位置情報に変換することを特徴とする位置情報取得装置。
【請求項６】
請求項１乃至５の何れか一項に記載の位置情報取得装置において、
前記位置情報は、前記紙面上における位置の座標であることを特徴とする位置情報取得装置。
【請求項７】
印刷物の紙面上に掲載される商品情報を構成する複数の構成情報が表示される表示メディアを作成する表示メディア作成装置あって、
請求項１乃至６の何れか一項に記載の位置情報取得装置によって変換された前記メディア位置情報を取得し、当該メディア位置情報に基づいて、前記構成情報が表示される前記表示メディア上における領域を認識する領域認識手段と、
前記認識された領域の全部又は一部に、ネットワーク上の特定のリンク先を示すリンク情報を設定するリンク設定手段と、を備えることを特徴とする表示メディア作成装置。
【請求項８】
請求項７に記載の表示メディア作成装置において、
前記リンク設定手段は、前記構成情報と前記リンク情報との対応付けを示すテーブルデータを参照して、前記テーブルデータに含まれる構成情報に対応する前記リンク情報を取得し、当該リンク情報を、これに対応する構成情報が表示される前記表示メディア上における領域の全部又は一部に設定することを特徴とする表示メディア作成装置。
【請求項９】
請求項７又は８に記載の表示メディア作成装置において、
前記リンク情報は、前記構成情報又は前記グループ毎に異なることを特徴とする表示メディア作成装置。
【請求項１０】
請求項７乃至９の何れか一項に記載の表示メディア作成装置において、
前記リンク情報は、前記構成情報又は前記グループに関連する関連情報の所在を示す情報であることを特徴とする表示メディア作成装置。
【請求項１１】
印刷物の紙面上に掲載される商品情報を構成する複数の構成情報が表示される表示メディアを作成する表示メディア作成装置あって、
請求項１乃至６の何れか一項に記載の位置情報取得装置によって変換された前記メディア位置情報を取得し、当該メディア位置情報に基づいて、前記構成情報が表示される前記表示メディア上における領域を認識する領域認識手段と、
前記認識された領域に、前記構成情報と共に表示されるべき追加情報を設定する追加情報設定手段と、を備えることを特徴とする表示メディア作成装置。
【請求項１２】
印刷物の紙面上に掲載される商品情報を構成する複数の構成情報が表示される表示メディアを作成する表示メディア作成装置あって、
請求項１乃至６の何れか一項に記載の位置情報取得装置によって変換された前記メディア位置情報を取得し、当該メディア位置情報に基づいて、前記構成情報が表示される前記表示メディア上における領域を認識する領域認識手段と、
前記認識された領域に表示されるべき構成情報の内容を変更する内容変更手段と、を備えることを特徴とする表示メディア作成装置。
【請求項１３】
印刷物の紙面上に掲載される商品情報を構成する複数の構成情報が表示される表示メディアを作成する表示メディア作成装置あって、
請求項１乃至６の何れか一項に記載の位置情報取得装置によって変換された前記メディア位置情報を取得し、当該メディア位置情報に基づいて、前記構成情報が表示される前記表示メディア上における領域を認識する領域認識手段と、
前記認識された領域に表示されるべき構成情報の属性を変更する属性変更手段と、を備えることを特徴とする表示メディア作成装置。
【請求項１４】
コンピュータを、請求項１乃至６の何れか一項に記載の位置情報取得装置として機能させることを特徴とする位置情報取得処理プログラム。
【請求項１５】
コンピュータを、請求項７乃至１３の何れか一項に記載の表示メディア作成装置として機能させることを特徴とする表示メディア作成処理プログラム。
【請求項１６】
請求項１４に記載の位置情報取得処理プログラムと請求項１５に記載の表示メディア作成処理プログラムの少なくとも何れか一方がコンピュータ読み取り可能に記録されたことを特徴とする記録媒体。
【請求項１７】
印刷物の紙面上に掲載される商品情報及び当該商品情報のレイアウト情報を含む商品データから、少なくとも、当該商品情報を構成する複数の構成情報が表示される表示メディア上における当該構成情報についての位置情報を取得する位置情報取得装置における位置情報取得方法であって、
前記構成情報が掲載される前記紙面上における位置を示す紙面位置情報を、前記商品データから取得する位置情報取得工程と、
前記表示メディアに応じた位置情報変換条件に従って、前記取得された紙面位置情報を、前記構成情報が表示される前記表示メディア上における位置を示すメディア位置情報に変換する位置情報変換工程と、を備えることを特徴とする位置情報取得方法。
【発明の詳細な説明】
【技術分野】
【０００１】
印刷物の紙面上に掲載される商品情報及び当該商品情報のレイアウト情報を含む商品データから、少なくとも、当該商品情報を構成する複数の構成情報が表示される表示メディアを作成するための当該構成情報についての位置情報を取得する装置及び方法等の技術分野に関する。
【背景技術】
【０００２】
従来より、文字組版、イラスト作成、レイアウトなどの印刷物製作に必要な作業をパーソナルコンピュータで統合的（文字、図形、画像）に行うＤＴＰ（Desk Top Publishing）システムが知られている。例えば、特許３０７６３４８号には、操作者が通常文書を作成する際の自然な操作で書式情報を容易に作成できると同時にレイアウト後の状態を容易に確認することが可能なＤＴＰシステムが開示されている。なお、このような印刷物の一例として、チラシ、カタログ、パンフレット等の広告印刷物がある。
【０００３】
一方、近年、インターネット上における所定のサーバでは、このような広告印刷物の紙面に掲載される商品情報をＷＥＢページ上でも公開し、当該サーバにインターネット接続サービスを行うプロバイダ等を介して接続してきた端末装置のユーザに、広告印刷物に掲載される商品情報を表示メディア（電子メディア）として提供している。このような表示メディアの作成には、図１に示すように、ＤＴＰシステムにおける広告印刷物の製版作業の結果として得られるデータ（ＤＴＰデータ）が、表示メディア作成装置において利用されることが効率的である。
【０００４】
このような表示メディアにより商品情報を提供する利点は、当該表示メディア上の所定の領域にインターネット上のハイパーリンク先であるＵＲＬ（Uniform Resource Locator）等のリンク情報を設定することにより、ユーザの端末装置に対し当該リンク先からより詳細な情報を簡単に提供する点にある。
【０００５】
従来、表示メディアにおける所定の領域にリンク情報を設定する場合、例えば、汎用のパーソナルコンピュータで表示メディア編集プログラムを起動させ、モニタ上に表示された表示メディアに対し、ユーザが、リンク情報を設定したい領域や位置を各々、マウスによって指定した後、リンク情報をキーボードで入力して設定していた。
【特許文献１】特許３０７６３４８号
【発明の開示】
【発明が解決しようとする課題】
【０００６】
しかしながら、従来の方法では、１つの表示メディア（つまり、１画面上に表示される表示メディア）上における多くの領域にリンク情報を設定する場合、ユーザは一つ一つ領域や位置を指定しなければならないので、リンク情報の設定作業に非常に手間がかかり、非効率的であるという問題があった。
【０００７】
この問題は、表示メディア上における所望の領域にリンク情報を設定する場合に限られず、その他の理由で、表示メディア上における所望の多くの領域や位置を指定する場合にも同様である。
【０００８】
本発明は、以上の問題に鑑みてなされたものであり、表示メディア上における所望の領域や位置を指定するために必要な位置情報をより効率良く取得することが可能な位置情報取得装置及び方法等を提供することを課題の一つとする。
【課題を解決するための手段】
【０００９】
上記課題を解決するために、１つの観点における本発明に係る位置情報取得装置は、印刷物の紙面上に掲載される商品情報及び当該商品情報のレイアウト情報を含む商品データから、少なくとも、当該商品情報を構成する複数の構成情報が表示される表示メディア上における当該構成情報についての位置情報を取得する位置情報取得装置であって、前記構成情報が掲載される前記紙面上における位置を示す紙面位置情報を、前記商品データから取得する位置情報取得手段と、前記表示メディアに応じた位置情報変換条件に従って、前記取得された紙面位置情報を、前記構成情報が表示される前記表示メディア上における位置を示すメディア位置情報に変換する位置情報変換手段と、を備えることを特徴とする。
【００１０】
この発明によれば、商品情報を構成する構成情報が掲載される印刷物の紙面上における位置を示す紙面位置情報を上記商品データから取得し、複数の上記構成情報が表示される表示メディアに応じた位置情報変換条件に従って、取得した紙面位置情報を当該表示メディア上における位置を示すメディア位置情報に変換して該メディア位置情報を取得するように構成したので、表示メディア上における所望の構成情報の領域や位置を指定するために必要なメディア位置情報をより効率良く取得することができる。
【００１１】
また、上記位置情報取得装置において、ユーザにより入力された、前記構成情報の属性を示す属性情報を受け付ける情報受付手段を更に備え、前記位置情報取得手段は、前記複数の構成情報のうち前記属性を有する前記構成情報についての前記紙面位置情報を取得することを特徴とする。
【００１２】
この発明によれば、ユーザは、商品情報を構成する構成情報の属性を示す属性情報を入力（指定）するだけで、かかる属性を有する多くの上記構成情報の表示メディア上における領域や位置を指定するために必要なメディア位置情報をより効率良く取得することができる。
【００１３】
また、上記位置情報取得装置において、ユーザにより入力された、前記構成情報を受け付ける情報受付手段を更に備え、前記位置情報取得手段は、前記複数の構成情報のうち前記受け付けられた構成情報についての前記紙面位置情報を取得することを特徴とする。
【００１４】
この発明によれば、ユーザは、表示メディア上における所望の領域や位置に係る構成情報を直接入力（指定）するだけで、上記構成情報の表示メディア上における領域や位置を指定するために必要なメディア位置情報をより効率良く取得することができる。
【００１５】
また、上記位置情報取得装置において、前記印刷物の紙面上に掲載される商品情報は、複数のグループに区分され、前記構成情報は、何れかのグループに属しており、ユーザにより入力された、前記何れかのグループを示すグループ情報を受け付ける情報受付手段を更に備え、前記位置情報取得手段は、前記複数の構成情報のうち前記受け付けられたグループに属する構成情報についての前記紙面位置情報を取得することを特徴とする。
【００１６】
この発明によれば、ユーザは、表示メディア上における所望の領域や位置に係る構成情報が属するグループを示すグループ情報を入力（指定）するだけで、かかるグループに属する多くの上記構成情報の表示メディア上における領域や位置を指定するために必要なメディア位置情報をより効率良く取得することができる。
【００１７】
また、上記位置情報取得装置において、前記印刷物の紙面上に掲載される商品情報は、複数のグループに区分され、前記構成情報は、何れかのグループに属しており、前記位置情報取得手段は、前記構成情報が属するグループの前記紙面上における位置を示す紙面位置情報を取得し、前記位置情報変換手段は、前記表示メディアに応じた位置情報変換条件に従って、前記取得された紙面位置情報を、前記グループが表示される前記表示メディア上における位置を示すメディア位置情報に変換することを特徴とする。
【００１８】
この発明によれば、表示メディア上における所望の構成情報が属するグループの領域や位置を指定するために必要なメディア位置情報をより効率良く取得することができる。
【００１９】
また、上記位置情報取得装置において、前記位置情報は、前記紙面上における位置の座標であることを特徴とする。
【００２０】
上記課題を解決するために、他の観点における本発明に係る表示メディア作成装置は、印刷物の紙面上に掲載される商品情報を構成する複数の構成情報が表示される表示メディアを作成する表示メディア作成装置あって、上記位置情報取得装置によって変換された前記メディア位置情報を取得し、当該メディア位置情報に基づいて、前記構成情報が表示される前記表示メディア上における領域を認識する領域認識手段と、前記認識された領域の全部又は一部に、ネットワーク上の特定のリンク先を示すリンク情報を設定するリンク設定手段と、を備えることを特徴とする。
【００２１】
この発明によれば、位置情報取得装置から得られたメディア位置情報に基づいて、上記構成情報が表示される表示メディア上における領域を認識し、上記リンク情報を設定するように構成したので、表示メディアにおける所望の構成情報の領域にリンク情報の設定を簡単に行うことができ、リンク情報の設定作業の効率化を図ることができる。
【００２２】
また、上記表示メディア作成装置において、前記リンク設定手段は、前記構成情報と前記リンク情報との対応付けを示すテーブルデータを参照して、前記テーブルデータに含まれる構成情報に対応する前記リンク情報を取得し、当該リンク情報を、これに対応する構成情報が表示される前記表示メディア上における領域の全部又は一部に設定することを特徴とする。
【００２３】
この発明によれば、複数の構成情報に設定される上記リンク情報が互いに異なっていたとしても、表示メディアにおける所望の構成情報の領域に効率良くリンク情報を設定することができる。
【００２４】
また、上記表示メディア作成装置において、前記リンク情報は、前記構成情報又は前記グループ毎に異なることを特徴とする。
【００２５】
また、上記表示メディア作成装置において、前記リンク情報は、前記構成情報又は前記グループに関連する関連情報の所在を示す情報であることを特徴とする。
【００２６】
上記課題を解決するために、更に他の観点における本発明に係る表示メディア作成装置は、印刷物の紙面上に掲載される商品情報を構成する複数の構成情報が表示される表示メディアを作成する表示メディア作成装置あって、上記位置情報取得装置によって変換された前記メディア位置情報を取得し、当該メディア位置情報に基づいて、前記構成情報が表示される前記表示メディア上における領域を認識する領域認識手段と、前記認識された領域に、前記構成情報と共に表示されるべき追加情報を設定する追加情報設定手段と、を備えることを特徴とする。
【００２７】
この発明によれば、位置情報取得装置から得られたメディア位置情報に基づいて、上記構成情報が表示される表示メディア上における領域を認識し、前記構成情報と共に表示されるべき追加情報を設定するように構成したので、表示メディアにおける所望の領域に追加情報の設定を簡単に行うことができ、追加情報の設定作業の効率化を図ることができる。
【００２８】
上記課題を解決するために、更に他の観点における本発明に係る表示メディア作成装置は、印刷物の紙面上に掲載される商品情報を構成する複数の構成情報が表示される表示メディアを作成する表示メディア作成装置あって、上記位置情報取得装置によって変換された前記メディア位置情報を取得し、当該メディア位置情報に基づいて、前記構成情報が表示される前記表示メディア上における領域を認識する領域認識手段と、前記認識された領域に表示されるべき構成情報の内容を変更する内容変更手段と、を備えることを特徴とする。
【００２９】
この発明によれば、位置情報取得装置から得られたメディア位置情報に基づいて、上記構成情報が表示される表示メディア上における領域を認識し、そこに表示されるべき構成情報の内容を変更するように構成したので、表示メディアにおける所望の領域の内容変更の設定を簡単に行うことができ、内容変更の設定作業の効率化を図ることができる。
【００３０】
上記課題を解決するために、更に他の観点における本発明に係る表示メディア作成装置は、印刷物の紙面上に掲載される商品情報を構成する複数の構成情報が表示される表示メディアを作成する表示メディア作成装置あって、上記位置情報取得装置によって変換された前記メディア位置情報を取得し、当該メディア位置情報に基づいて、前記構成情報が表示される前記表示メディア上における領域を認識する領域認識手段と、前記認識された領域に表示されるべき構成情報の属性を変更する属性変更手段と、を備えることを特徴とする。
【００３１】
この発明によれば、位置情報取得装置から得られたメディア位置情報に基づいて、上記構成情報が表示される表示メディア上における領域を認識し、そこに表示されるべき構成情報の属性を変更するように構成したので、表示メディアにおける所望の領域の属性変更の設定を簡単に行うことができ、属性変更の設定作業の効率化を図ることができる。
【００３２】
上記課題を解決するために、更に他の観点における本発明に係る位置情報取得処理プログラムは、コンピュータを、上記位置情報取得装置として機能させることを特徴とする。
【００３３】
上記課題を解決するために、更に他の観点における本発明に係る表示メディア作成処理プログラムは、コンピュータを、上記表示メディア作成装置として機能させることを特徴とする。
【００３４】
上記課題を解決するために、更に他の観点における本発明に係る位置情報取得方法は、印刷物の紙面上に掲載される商品情報及び当該商品情報のレイアウト情報を含む商品データから、少なくとも、当該商品情報を構成する複数の構成情報が表示される表示メディア上における当該構成情報についての位置情報を取得する位置情報取得装置における位置情報取得方法であって、前記構成情報が掲載される前記紙面上における位置を示す紙面位置情報を、前記商品データから取得する位置情報取得工程と、前記表示メディアに応じた位置情報変換条件に従って、前記取得された紙面位置情報を、前記構成情報が表示される前記表示メディア上における位置を示すメディア位置情報に変換する位置情報変換工程と、を備えることを特徴とする。
【発明の効果】
【００３５】
本発明によれば、表示メディア上における所望の構成情報の領域や位置を指定するために必要なメディア位置情報をより効率良く取得することができる。
【発明を実施するための最良の形態】
【００３６】
以下、本発明を実施するための最良の実施形態について、図面に基づいて説明する。なお、本発明に係る位置情報取得装置、位置情報取得処理プログラム、及び位置情報取得方法は、図１に示すＤＴＰシステムと表示メディア作成装置の何れか一方において適用されることになる。
【００３７】
［１．位置情報取得装置の構成及び機能］
先ず、図２等を参照して、本発明の一実施形態に係る位置情報取得装置の構成及び機能について説明する。
【００３８】
図２は、位置情報取得装置のハードウェア構成の一例を示す図である。なお、位置情報取得装置１は、ＤＴＰシステム又は表示メディア作成装置に組み込まれることになるが、ＤＴＰシステム又は表示メディア作成装置のその他の構成部分についての説明は省略する。
【００３９】
図２に示すように、位置情報取得装置１は、演算機能を有するコンピュータとしてのＣＰＵ，作業用ＲＡＭ，ＲＯＭ等によって構成される演算制御部１１と、各種プログラムやデータを記憶するハードディスク等の記憶部１２と、キーボードやマウス等の入力部１３と、モニタ等の表示部１４と、を備えて構成される。
【００４０】
そして、演算制御部１１のＣＰＵは、例えば記憶部１２に記憶された、本発明の位置情報取得処理プログラム等を実行することにより、情報受付手段としての情報受付部１１ａ、位置情報取得手段としての位置情報取得部１１ｂ、位置情報変換手段としての位置情報変換部１１ｃ、及び位置情報保存部１１ｄとして機能するようになっている。
【００４１】
なお、位置情報取得処理プログラムは、例えばインターネット上の所定のサーバから位置情報取得装置にダウンロードされるようにしてもよいし、フレキシブルディスク（例えば、ＣＤ−ＲＯＭ等）の記録媒体に記録されて当該記録媒体のドライブを介して位置情報取得装置に読み込まれるようにしてもよい。
【００４２】
また、上記記憶部１２には、商品データベース（ＤＢ）１２ａ、位置情報変換条件データベース（ＤＢ）１２ｂ、及び位置情報データベース（ＤＢ）１２ｃ等が構築されている。
【００４３】
以下これらの構成要素の機能について説明する。
【００４４】
商品データベース１２ａには、例えば、チラシ、カタログ、又はパンフレット等の広告印刷物の紙面上に掲載される商品情報及び当該商品情報のレイアウト情報を含む商品データが記憶されている。
【００４５】
ここで、商品情報は、例えば広告印刷物の紙面上に掲載（配置）される商品に関する文字、画像、イラスト、ロゴ、マーク等の情報であり、当該商品情報は、商品番号、商品名、メーカ名、商品説明（商品の特徴、商品の仕様（サイズ、重量、材質、色等）、商品の規格等）、商品価格（メーカ希望価格、通常価格、売価）、商品画像（商品の外観が撮影されたもの）、商品の購買促進情報（キャッチコピー等）、セール期間等の複数の構成情報から構成されている。なお、商品画像の場合、画像ファイル名をも構成情報として扱うものとする。
【００４６】
また、当該商品情報のレイアウト情報は、広告印刷物の紙面上における商品情報のレイアウトを示す情報であり、かかるレイアウト情報には、例えば、上記各構成情報が掲載される上記紙面の大きさ（例えば、当該紙面が表示画面上に表示されたときの横（Width：Ｘｍｍ）と縦（Height：Ｙｍｍ）で規定。「ｍｍ」でなく、「ポイント」や「インチ」で規定することもある、以下同様。）、当該紙面の頁、及び当該紙面上における位置を示す紙面位置情報（例えば、当該位置の紙面上における座標（Ｘｍｍ，Ｙｍｍ））及び各構成情報の属性を示す属性情報が含まれる。
【００４７】
なお、紙面位置情報としては、例えば、上記構成情報が掲載される上記紙面上における領域上の１つの点の位置情報（例えば、その点の座標）としてもよいし、当該領域全体を示す位置情報（例えば、その領域が矩形の場合、該領域の始点座標と終点座標、その領域が円形、楕円形、及び多角形等の場合、該領域の輪郭線上において基点となる複数の座標）としてもよい。
【００４８】
また、上記構成情報の属性は、当該構成情報が例えば「商品番号」等の文字であった場合、その文字のフォント（種類）、スタイル、サイズ、カラー等の情報であり、例えば「商品画像」等の画像であった場合、その画像ファイルの拡張子、画像ファイル名、画像ファイル名のケタ数等の情報である。
【００４９】
このような商品情報及び当該商品情報のレイアウト情報を含む商品データは、例えば、ＤＴＰシステムを用いて行われる広告印刷物の製版作業の結果として得られるデータ（ＤＴＰデータ）であり、そのように得られた商品データが、商品データベース１２ａに登録される。
【００５０】
図３は、広告印刷物の紙面上における商品情報のレイアウト例を示す概念図である。つまり、図３の例は、広告印刷物の紙面上のどの領域に、何の属性（属性は、カッコ内に示す）を有する構成情報が割り当てられているかを示す図である。
【００５１】
図３の例では、広告印刷物の紙面（紙面データ）上には、複数の画像ボックス５１乃至５４と、複数の文字ボックス５５乃至６２が割り当てられており、これらのボックス５１乃至６２は、それぞれボックスの上記紙面上における領域の座標（例えば、始点座標（Ｘ１ｍｍ，Ｙ１ｍｍ）、終点座標（Ｘ２ｍｍ，Ｙ２ｍｍ））を有している。そして、例えば、画像ボックス５１には「商品画像１（例えば、１２３−００１．ｅｐｓ）」が、文字ボックス５５には「商品説明１」が、文字ボックス５６には「商品番号１（例えば、１２３−００１）」が、それぞれ割り当てられている。また、画像ボックス５１における「商品画像１」は、「．ｅｐｓ」（拡張子）等の属性を有し、文字ボックス５６における「商品番号１」は、「太ゴ赤１６ｐｔ」（「太」：太字（スタイル）、「ゴ」：ゴシック（フォント）、「赤」：赤色（カラー）、「１６ｐｔ」：１６ポイント（ポイント））等の属性を有している。
【００５２】
演算制御部１１の情報受付部１１ａは、ユーザにより入力部１３を通じて入力（或いは属性情報の一覧から指定）された上記構成情報の属性を示す属性情報（例えば、「太ゴ赤１６ｐｔ」）を受け付けるようになっており、位置情報取得部１１ｂは、商品情報を構成する複数の構成情報うち、上記受け付けられた属性情報にて示される属性を有する構成情報（例えば、「１２３−００１」（商品番号））と当該構成情報が掲載される上記紙面上における位置を示す紙面位置情報（例えば、当該構成情報が掲載される領域の始点座標（Ｘ１ｍｍ，Ｙ１ｍｍ）及び終点座標（Ｘ２ｍｍ，Ｙ２ｍｍ））等を、上記商品データベース１２ａに記憶された商品データから取得するようになっている。
【００５３】
図４は、位置情報取得部１１ｂにより取得された構成情報及び紙面位置情報等のリスト例を示す図である。図４（Ａ）の例は、属性を示す属性情報である「太ゴ赤１６ｐｔ」がユーザにより入力（指定）された場合の例であり、この場合、当該属性を有する構成情報である「１２３−００１」（商品番号）等と、各商品番号が掲載される頁と、各商品番号の紙面位置情報である始点座標（Ｘ１ｍｍ，Ｙ１ｍｍ）及び終点座標（Ｘ２ｍｍ，Ｙ２ｍｍ）と、がそれぞれ取得されている。図４（Ｂ）の例は、属性を示す属性情報である「．ｅｐｓ」（拡張子）がユーザにより入力（指定）された場合の例であり、この場合、当該属性を有する構成情報である「１２３−００１．ｅｐｓ」（商品画像のファイル名）等と、各商品画像が掲載される頁と、各商品画像の紙面位置情報である始点座標（Ｘ１ｍｍ，Ｙ１ｍｍ）及び終点座標（Ｘ２ｍｍ，Ｙ２ｍｍ）と、がそれぞれ取得されている。
【００５４】
そして、位置情報変換部１１ｃは、上記構成情報が表示される表示メディアに応じた位置情報変換条件に従って、位置情報取得部１１ｂにより取得された紙面位置情報を、当該表示メディア上における位置を示すメディア位置情報に変換するようになっている。
【００５５】
ここで、表示メディアは、後述する表示メディア作成装置によって上記商品データに基づき作成される例えば画像（例えば、広告印刷物の紙面上における商品情報のレイアウトで作成される）であり、該表示メディア上における各構成情報の位置を示すメディア位置情報の単位は、上記紙面上における各構成情報の位置を示す紙面位置情報の単位（例えば、座標の単位「ｍｍ」等）とは異なる。例えば、表示メディアがビットマップ形式の画像として作成される場合、該表示メディア上における各構成情報のメディア位置情報は、ＳラインＴピクセルで表される。また、表示メディアの大きさは、広告印刷物の紙面の大きさとは、必ずしも同じではない。
【００５６】
更にまた、表示メディア上における商品情報のレイアウトは、上記紙面上における商品情報のレイアウトと異なる場合もある。例えば、紙面上における見開き頁（２頁分）を表示メディア上では1頁にしたり、紙面上における複数頁を表示メディア上では紙面上より少ない頁にしたり、逆に、紙面上における１頁を表示メディア上では複数頁にしたりにすることもある。
【００５７】
従って、位置情報変換部１１ｃは、紙面上における各構成情報の紙面位置情報、例えば、座標（Ｘｍｍ、Ｙｍｍ）を、作成される表示メディア上における各構成情報のメディア位置情報、例えば、ＳラインＴピクセルに変換（単位換算）するものとしており、その時の位置情報変換条件は、作成される表示メディアの大きさや特性等に応じて設定され、位置情報変換条件データベース１２ｂに記憶されるようになっている。なお、表示メディア上における構成情報の全てが画像であってもよいし、構成情報の一部が画像でその他の部分がテキストであってもよい。
【００５８】
更に、表示メディアは、静止画像であるとは限らず、動画像である場合もあり、かかる場合、上記紙面位置情報が、動的に変化するメディア位置情報として変換されるように位置情報変換条件が設定されることになる。
【００５９】
なお、表示メディアは、ＪＰＥＧやＧＩＦ形式の画像ファイルであってもよい。
【００６０】
位置情報保存部１１ｄは、こうして変換された各メディア位置情報及びそれに対応する各構成情報を取得し、他のアプリケーションソフトでも取扱い可能なファイル形式であるメディア位置情報ファイルとして作成し、位置情報データベース１２ｃに保存（記憶）するようになっている。
【００６１】
［２．位置情報取得装置の動作］
次に、図５等を参照して、位置情報取得装置１の動作について説明する。
【００６２】
図５は、位置情報取得装置１における演算制御部１１の処理を示すフローチャートである。
【００６３】
先ず、位置情報取得装置１の演算制御部１１は、ユーザによる入力部１３の操作指示に従って、位置情報取得処理プログラム等を実行し、表示部１４に属性情報入力画面（図示せず）を表示する（ステップＳ１）。
【００６４】
このような表示状態において、ユーザが入力部１３を操作して所望の属性情報（例えば、広告印刷物に掲載された商品の商品番号を取得したいため、当該商品番号に特有の属性情報「太ゴ赤１６ｐｔ」）を属性情報入力画面上における所定の入力欄に入力し、入力部１３における実行ボタンを押下すると、演算制御部１１の情報受付部１１ａは、これに応じ（ステップＳ２：Ｙ）、入力された属性情報を受け付け（取得す）る（ステップＳ３）。
【００６５】
なお、ユーザが入力部１３を操作して、属性情報を属性情報入力画面上における所定の入力欄に直接入力するのではなく、演算制御部１１が上記商品データに含まれる全部又は一部の属性情報を取得し、これを表示部１４の表示画面上に一覧表示してユーザに所望の属性情報の選択を促し、当該ユーザが入力部１３を操作して当該属性情報の一覧のうちから指定（選択）した属性情報を情報受付部１１ａが受け付けるように構成してもよい。
【００６６】
次いで、演算制御部１１の情報取得部１１ｂは、商品データベース１２ａを参照し、商品情報を構成する複数の構成情報うち、上記ステップＳ３にて受け付けられた属性情報にて示される属性を有する構成情報（例えば、商品番号）と当該構成情報の紙面位置情報（例えば、当該構成情報が掲載される領域の始点座標（Ｘ１ｍｍ，Ｙ１ｍｍ）及び終点座標（Ｘ２ｍｍ，Ｙ２ｍｍ）。始点座標のみでもよい）等を、商品データから取得し（ステップＳ４）、これらの情報が含まれた内容（例えば、図４（Ａ）に示すリストの内容）を紙面位置情報ファイルとして記憶部１２等に保存する。
【００６７】
次いで、演算制御部１１の位置情報変換部１１ｃは、位置情報変換条件データベース１２ｂに記憶された位置情報変換条件を読み込み、これに従って、保存された紙面位置情報ファイルに含まれる各構成情報の紙面位置情報を、上述したメディア位置情報に変換（例えば、始点座標（Ｘ１ｍｍ，Ｙ１ｍｍ）をＳ１ラインＴ１ピクセルに、終点座標（Ｘ２ｍｍ，Ｙ２ｍｍ）をＳ２ラインＴ２ピクセルに、それぞれ変換）する（ステップＳ５）。
【００６８】
次いで、演算制御部１１の位置情報保存部１１ｄは、変換された各メディア位置情報及びそれに対応する各構成情報を取得して、メディア位置情報ファイルを作成し、位置情報データベース１２ｃに保存（記憶）する（ステップＳ６）。
【００６９】
以上説明したように、上記実施形態によれば、商品データに基づき作成する表示メディア上における所望の構成情報の領域や位置を指定するために必要なメディア位置情報をより効率良く取得することができる。
【００７０】
また、ユーザは、表示メディア上において指定したい構成情報の属性を示す属性情報を一つ入力（指定）するだけで、かかる属性を有する多くの構成情報及びそのメディア位置情報を効率良く取得することができる。
【００７１】
［３．位置情報取得装置の他の実施形態］
（３−１．構成情報等の取得）
上記実施形態においては、演算制御部１１の位置情報取得部１１ｂは、情報受付部１１ａによって受け付けられた属性情報にて示される属性を有する構成情報及び紙面位置情報等を商品データから取得するように構成したが、これに限定されるものではない。
【００７２】
属性情報に基づく構成情報の取得とは別の例として、ユーザにより入力部１３を通じて入力（構成情報一覧から指定）された上記構成情報を情報受付部１１ａが受け付け、位置情報取得部１１ｂが、当該受け付けられた構成情報（例えば、商品番号等の文字列）と当該構成情報の紙面位置情報等を上記商品データベース１２ａに記憶された商品データから取得するように構成してもよい（当該紙面位置情報等の取得以降の処理は、図５に示すステップＳ５及びＳ６と同様）。
【００７３】
この場合、ユーザは、入力部１３を操作して、所望の構成情報を全て入力するか、或いは、表示部１４の表示画面上に一覧表示された構成情報の一覧のうちから所望の構成情報を全て指定（選択）することになる。そして、例えば、情報受付部１１ａは、このように入力（指定）された複数の構成情報のリストを作成し、位置情報取得部１１ｂが当該リストに含まれる構成情報等を取得することになる。このように構成すれば、ユーザは、表示メディア上で指定したい構成情報を直接入力（指定）することができる。
【００７４】
更に別の例として、例えば、広告印刷物の紙面上に掲載される商品情報が複数のグループに区分（例えば、商品の種類、商品の企画、商品のセール期間等の応じて区分）されており、上記構成情報が何れかのグループに属している（各構成情報に対しグループ情報が付与されている）場合、ユーザにより入力部１３を通じて入力（グループ情報一覧から指定）されたグループ情報（例えば、グループ番号）を情報受付部１１ａが受け付け、位置情報取得部１１ｂが、当該受け付けられたグループに属する構成情報と当該構成情報の紙面位置情報等を、上記商品データベース１２ａに記憶された商品データから取得するように構成してもよい（当該構成情報等の取得以降の処理は、図５に示すステップＳ５及びＳ６と同様）。このように構成すれば、ユーザは、表示メディア上で指定したい構成情報が属するグループを示すグループ情報を一つ入力（指定）するだけで、かかるグループに属する多くの構成情報及びそのメディア位置情報を効率良く取得することができる。
【００７５】
（３−２．紙面位置情報の取得）
上記実施形態においては、各構成情報に対して、これらが掲載される広告印刷物の紙面上における領域の座標が与えられている場合（言い換えれば、上記商品データから当該座標を紙面位置情報として取得可能の場合）を例にとって説明した（例えば、各構成情報は、図３に示すボックス５１乃至６２に割り当てられ、当該ボックス５１乃至６２の領域に対して上記紙面上における座標が与えられていた）が、上記実施形態は、各構成情報（特に、テキストデータ）に対して上記領域の座標が与えられていない場合（言い換えれば、商品データから直接当該座標を取得できない場合）にも適用することができる。
【００７６】
この場合、例えば、位置情報取得部１１ｂは、商品データから取得した構成情報（例えば、上記受け付けられた属性情報にて示される属性を有する構成情報、上記受け付けられた構成情報、又は上記受け付けられたグループ情報にて示されるグループに属する構成情報）における個々の文字のサイズ（これから当該文字の横及び縦の寸法（例えば、ｍｍ）がわかる）と、上記紙面上で当該構成情報に至るまでの文字数（横及び縦の文字数）から、当該紙面上における当該構成情報の位置（例えば、横ＸＺ１ｍｍ〜ＸＺ２ｍｍ、縦ＹＺ１ｍｍ〜ＹＺ２ｍｍ）を算出（これを、始点座標（Ｘ１ｍｍ，Ｙ１ｍｍ）及び終点座標（Ｘ２ｍｍ，Ｙ２ｍｍ）に変換してもよい）して、これを紙面位置情報として取得するように構成する（当該紙面位置情報等の取得以降の処理は、図５に示すステップＳ５及びＳ６と同様）。
【００７７】
また、例えば、広告印刷物の紙面上に、図３に示すようなボックス５１乃至６２に割り当てられており、一つのボックス内に複数の構成情報（例えば、商品名、商品番号、商品説明等）が割り当てられている場合に、そのボックス内における、ある構成情報（例えば、商品番号）のみを取得し、その紙面位置情報を取得する場合においても、位置情報取得部１１ｂは、当該構成情報における個々の文字のサイズと、上記ボックス上で当該構成情報に至るまでの文字数（横及び縦の文字数）から、当該ボックスにおける当該構成情報の位置を算出して、これを当該ボックスに対応する座標と共に、紙面位置情報として取得するように構成する。
【００７８】
（３−３．グループのメディア位置情報の取得）
上記実施形態においては、位置情報取得部１１ｂは、各構成情報の紙面位置情報を取得するように構成したが、別の例として、各構成情報が属するグループの紙面位置情報を取得し、位置情報変換部１１ｃが、それを当該グループのメディア位置情報に変換するように構成してもよい。
【００７９】
つまり、上述したように、広告印刷物の紙面上に掲載される商品情報が複数のグループに区分（例えば、商品の種類、商品の企画、商品のセール期間等の応じて区分）されている場合、通常、構成情報はグループ毎にまとまって掲載される（例えば、広告印刷物の右上の所定の領域はグループ１の領域、左上の所定の領域はグループ２の領域、中央の所定の領域はグループ３の領域として、それぞれ割り当てられる）ので、表示メディア上における各構成情報のメディア位置情報を取得するのではなく、構成情報（各構成情報に対しグループ情報が付与されている）が属するグループに割り当てられた表示メディアにおける位置を示すメディア位置情報を取得するように構成する。
【００８０】
この場合の処理では、位置情報取得部１１ｂは、取得した構成情報に属するグループの上記紙面上における位置を示す紙面位置情報等を、上記商品データベース１２ａに記憶された商品データから取得し、位置情報変換部１１ｃは、位置情報変換条件に従って、各グループの紙面位置情報を、各グループのメディア位置情報に変換するように構成する。このように構成すれば、表示メディア上における所望の構成情報が属するグループのメディア位置情報をより効率良く取得することができる。
【００８１】
［４．メディア位置情報の利用形態］
次に、以上のように取得されたメディア位置情報が、表示メディア作成装置における表示メディアの作成の際に利用される利用形態について説明する。なお、位置情報取得装置がＤＴＰシステムに組み込まれていた場合には、上記図５に示すステップＳ６にて保存されたメディア位置情報ファイルは、ＤＴＰシステムから表示メディア作成装置に通信手段を介して転送され記憶されるか、或いは、ＤＴＰシステムから例えばフレキシブルディスクに記憶され、その後、表示メディア作成装置に記憶されることになる。
【００８２】
この表示メディア作成装置は、演算機能を有するコンピュータとしてのＣＰＵ，作業用ＲＡＭ，ＲＯＭ等によって構成される演算制御部と、各種プログラムやデータを記憶するハードディスク等の記憶部と、キーボードやマウス等の入力部と、モニタ等の表示部と、を備えて構成される。
【００８３】
また、表示メディア作成装置の記憶部には、広告印刷物の紙面上に掲載される商品情報及び当該商品情報のレイアウト情報を含む上述した商品データが予め記憶されている。そして、演算制御部のＣＰＵは、例えば記憶部に記憶された、本発明の表示メディア作成処理プログラム等を実行することにより、上記商品データに基づき商品情報を構成する複数の構成情報が表示される表示メディア（例えば、ビットマップ形式の画像）を作成するようになっている。なお、当該表示メディアの作成については、本発明と直接の関係がないので、更なる詳しい説明を省略する。
【００８４】
更に、演算制御部のＣＰＵは、上記プログラムの実行により、本発明の領域認識手段、リンク設定手段、追加情報設定手段、内容変更手段、及び属性変更手段等として機能するようになっている。なお、表示メディア作成処理プログラムは、例えばインターネット上の所定のサーバから表示メディア作成装置にダウンロードされるようにしてもよいし、フレキシブルディスクの記録媒体に記録されて当該記録媒体のドライブを介して表示メディア作成装置に読み込まれるようにしてもよい。
【００８５】
以下に、上記メディア位置情報の利用形態について説明する。
【００８６】
（４−１．リンク情報の設定）
先ず、メディア位置情報が表示メディア上における領域へのリンク設定に利用される場合の例について説明する。
【００８７】
この場合、表示メディア作成装置の演算制御部（領域認識手段）は、記憶部に記憶されたメディア位置情報ファイルを読み込み、そこに含まれるメディア位置情報に基づいて、これに対応する構成情報が表示される表示メディアにおける領域を認識する。
【００８８】
図６は、作成された表示メディアにおける商品情報のレイアウト例を示す概念図である。図６の例に示す表示メディアは、図３の例に示す紙面に対し縦寸法が一定比率で縮小変換された形となっており（図３に示すボックスは、図６では破線で示されている）、かかる変換は、上述した紙面位置情報をメディア位置情報に変換するための位置情報変換条件に従っている。よって、表示メディア作成装置の演算制御部（領域認識手段）は、メディア位置情報から、それに対応する構成情報の表示メディア上における表示領域を認識することが可能となる。なお、上記構成情報のメディア位置情報が、例えば、領域（始点と終点）としてではなく、当該領域上の１点（例えば、当該領域の左上点）で規定されている場合には、当該点から縦に所定ライン、横に所定ピクセルの範囲内で規定される領域が認識されることになる。
【００８９】
そして、表示メディア作成装置の演算制御部（リンク設定手段）は、上記認識された各構成情報が表示される領域の全部又は一部に、ネットワーク上の特定のリンク先を示すリンク情報を設定するようになっている。
【００９０】
ここで、特定のリンク先を示すリンク情報とは、各構成情報に関連する関連情報の所在（ネットワーク上のアドレス）を示す情報を意味し、例えばインターネット上のハイパーリンク先であるＵＲＬやＷＥＢページ等の情報が該当する。
【００９１】
図７は、構成情報とリンク情報（ここでは、ＵＲＬ）との対応付けを示すテーブルデータの一例を示す図である。かかるテーブルデータは、表示メディア作成装置の記憶部に予め記憶されている。
【００９２】
図７に示すテーブルデータには、複数の互いに異なる商品番号（例えば、「１２３−００１」、「１２３−００２」・・・）が示されており、これらに対応付けられたＵＲＬは、商品番号毎に異なっているように設定されている。つまり、これは、商品番号毎にリンク先を異ならしめて、商品番号毎に固有の関連情報（例えば、当該商品番号に対応する商品のより詳細な情報を提供するためのＷＥＢページ）を提供するためのものである。
【００９３】
例えば、表示メディア作成装置の演算制御部（リンク設定手段）は、図７に示すようなテーブルデータを参照して、メディア位置情報ファイルに含まれる構成情報のうち、当該テーブルデータに含まれる構成情報に対応するリンク情報（ここでは、ＵＲＬ）を取得し（言い換えれば、テーブルデータに含まれない構成情報については、リンク情報の取得がされない）、当該リンク情報を、これに対応する構成情報の表示メディアにおける上記認識された表示領域の全部又は一部に設定する。なお、メディア位置情報が構成情報のグループのものである場合には、表示メディア上における当該グループが表示される領域の全部又は一部に設定されることになる（例えば、グループ毎に異なるリンク情報が設定される）。
【００９４】
ここで、当該領域へのリンク情報の設定は、例えば、ＷＥＢページ上の画像の特定の領域にリンク情報を設定する公知のクリッカブルマップ（clickable map）機能（イメージマップ機能ともいう）により行われ、例えばＨＴＭＬ（Hyper Text Markup Language）ファイルやＸＭＬ（Extensible Markup Language）にて規定されるリンク情報設定ファイルが作成される。
【００９５】
以上のように各構成情報の表示メディア上における表示領域にリンク設定がなされて作成されたリンク情報設定ファイルは、例えばインターネット上で商品情報を提供する情報提供サーバにより提供されるＷＥＢページ（例えば、ＨＴＭＬやＸＭＬファイルにて規定）に組み込まれ、かかる情報提供サーバにインターネットを介して接続してきた端末装置（例えば、汎用のパーソナルコンピュータ）からの要求に応じて、当該ＷＥＢページを提供（送信）することになる。そして、端末装置のモニタ上にブラウザ機能により上記表示メディア（例えば、表示画像）が表示されている場合に、ユーザがマウス等により例えば商品番号に対応する領域をクリックすると、この領域に設定されたＵＲＬにハイパーリンクし、その商品番号に対応する商品のより詳細な情報が、端末装置に提供（送信）されることになる。
【００９６】
このような利用形態によれば、リンク情報の設定領域を自動で指定することが可能となり、表示メディアにおける多くの領域にリンク情報の設定を簡単に行うことができ、リンク情報の設定作業の効率化を図ることができる。
【００９７】
（４−２．追加情報の設定）
次に、メディア位置情報が、表示メディア上における領域への追加情報設定に利用される場合の例について説明する。
【００９８】
この場合も、表示メディア作成装置の演算制御部（領域認識手段）は、記憶部に記憶されたメディア位置情報ファイルを読み込み、そこに含まれるメディア位置情報に基づいて、これに対応する構成情報が表示される表示メディアにおける領域を認識する。そして、表示メディア作成装置の演算制御部（追加情報設定手段）は、上記認識された領域に、構成情報と共に表示されるべき追加情報を設定する（かかる設定と共にリンク情報の設定も行ってもよいし、行わなくてもよい）。
【００９９】
この追加情報は、例えば、当該構成情報が表示される領域のクリックをユーザに促すような情報（例えば、「ここをクリック」）や、当該領域にユーザの目をひきつけるような情報（例えば、販促情報やマーク）等があり、かかる追加情報は、図７に示すテーブルデータのように、予め構成情報毎に対応付けられて記憶部に記憶される。このように、追加情報が設定された場合には、表示メディアが表示される際に、例えば、当該構成情報に重畳されて追加情報が表示されることになる。
【０１００】
このような利用形態によれば、追加情報の設定領域を自動で指定することが可能となり、表示メディアにおける多くの領域に追加情報の設定を簡単に行うことができ、追加情報の設定作業の効率化を図ることができる。
【０１０１】
（４−３．内容変更の設定）
次に、メディア位置情報が、表示メディア上における領域の構成情報の内容変更設定に利用される場合の例について説明する。
【０１０２】
この場合も、表示メディア作成装置の演算制御部（領域認識手段）は、記憶部に記憶されたメディア位置情報ファイルを読み込み、そこに含まれるメディア位置情報に基づいて、これに対応する構成情報が表示される表示メディアにおける領域を認識する。そして、表示メディア作成装置の演算制御部（内容変更手段）は、上記認識された領域に表示されるべき構成情報の内容を変更する設定を行う（かかる設定と共にリンク情報の設定も行ってもよいし、行わなくてもよい）。例えば、構成情報が商品番号であった場合に、その商品番号を別の番号に変更したり（つまり、同じ商品であっても、広告印刷物における商品番号と、表示メディアにおける商品番号が異なる場合）、或いは、その商品番号を商品価格（特価等）に変更したり（広告印刷物上では、商品注文のために商品番号が必要であったが、表示メディア上では必要でない場合（例えば、クリックにより注文画面に以降する等））する。変更後の内容は、図７に示すテーブルデータのように、予め構成情報毎に対応付けられて記憶部に記憶される。構成情報の内容変更設定がなされた場合には、表示メディアが表示される際に、当該構成情報の内容が変更されて表示されることになる。
【０１０３】
このような利用形態によれば、内容変更に係る構成情報の領域を自動で指定することが可能となり、表示メディアにおける多くの領域に内容変更の設定を簡単に行うことができ、内容変更の設定作業の効率化を図ることができる。
【０１０４】
（４−４．属性変更の設定）
次に、メディア位置情報が、表示メディア上における領域の構成情報の属性変更設定に利用される場合の例について説明する。
【０１０５】
この場合も、表示メディア作成装置の演算制御部（領域認識手段）は、記憶部に記憶されたメディア位置情報ファイルを読み込み、そこに含まれるメディア位置情報に基づいて、これに対応する構成情報が表示される表示メディアにおける領域を認識する。そして、表示メディア作成装置の演算制御部（属性変更手段）は、上記認識された領域に表示されるべき構成情報の属性を変更する設定を行う（かかる設定と共にリンク情報の設定も行ってもよいし、行わなくてもよい）。例えば、構成情報のサイズを変更したり、構成情報のフォントを変更したり、構成情報の色を変更したりする。変更後の属性は、図７に示すテーブルデータのように、予め構成情報毎に対応付けられて記憶部に記憶される。構成情報の属性の変更設定がなされた場合には、表示メディアが表示される際に、当該構成情報の属性が変更されて表示（例えば、広告印刷物に掲載されていたときよりも、大きく表示）されることになる。
【０１０６】
このような利用形態によれば、属性変更に係る構成情報の領域を自動で指定することが可能となり、表示メディアにおける多くの領域に属性変更の設定を簡単に行うことができ、属性変更の設定作業の効率化を図ることができる。
【０１０７】
（４−５．その他の設定）
メディア位置情報は、以上説明した利用形態に限定されるものではなく、この他にも、様々な形態で利用されることが可能である。例えば、表示メディアが動画像（例えば、ＧＩＦ形式の画像ファイル）である場合、動的に変化するメディア位置情報として利用される。また、例えば、ＷＥＢブラウザまたはそのプラグイン上で動作するＪａｖａ（登録商標）アプレット（例えば、ＨＴＭＬ内に画像ファイルと共に組み込まれる）にてメディア位置情報を利用することも可能である。
【産業上の利用可能性】
【０１０８】
以上説明したように、本発明はＷｅｂアプリケーションを用いたネットワークサービスの分野に利用することが可能であるが、この他に、当該ネットワークを介した広範なサービス提供の分野に適用することが可能である。例えば、ＰＤＡ(Personal Digital Assistant)、携帯電話機、ＰＨＳ(Personal Handyphone System) 等の移動体通信網におけるネットワークサービスの分野に適用することも可能である。
【図面の簡単な説明】
【０１０９】
【図１】ＤＴＰシステムと表示メディア作成装置との関係を示す図である。
【図２】位置情報取得装置のハードウェア構成の一例を示す図である。
【図３】広告印刷物の紙面上における商品情報のレイアウト例を示す概念図である。
【図４】位置情報取得部１１ｂにより取得された構成情報及び紙面位置情報等のリスト例を示す図である。
【図５】位置情報取得装置１における演算制御部１１の処理を示すフローチャートである。
【図６】作成された表示メディアにおける商品情報のレイアウト例を示す概念図である。
【図７】構成情報とリンク情報（ここでは、ＵＲＬ）との対応付けを示すテーブルデータの一例を示す図である。
【符号の説明】
【０１１０】
１  位置情報取得装置
１１  演算制御部
１２  記憶部
１２ａ  商品データベース
１２ｂ  位置情報変換条件データベース
１２ｃ  位置情報データベース
１３  入力部
１４  表示部
１１ａ  情報受付部
１１ｂ  位置情報取得部
１１ｃ  位置情報変換部
１１ｄ  位置情報保存部
【図１】
2005208706.tif 000003
【図２】
2005208706.tif 000004
【図３】
2005208706.tif 000005
【図４】
2005208706.tif 000006
【図５】
2005208706.tif 000007
【図６】
2005208706.tif 000008
【図７】
2005208706.tif 000009